(57)【要約】【課題】  ラインインタフェースに直結されていない端末を内線として扱うようにしても、交換装置の構成を簡易、安価にする。【解決手段】  本発明は、所定のネットワークを介して相互には直接通信可能な複数の第１種類の端末をネットワークを介して収容すると共に、従来型の複数の第２種類の端末とを収容し、いずれかの第１種類の端末といずれかの第２種類の端末との相互通信を可能とする交換装置や、かかる交換装置を含むシステムに関する。本発明の交換装置は、第１種類の端末との間で呼制御情報をネットワークを介して授受する第１種類端末制御情報収容手段と、第１種類の端末との間で通信情報本体をネットワークを介して授受する、第１種類端末制御情報収容手段とは別体の、第１種類端末通信情報収容手段とを有する。【選択図】      図１
2005184253.tif 000002
【特許請求の範囲】
【請求項１】
所定のネットワークを介して相互には直接通信可能な複数の第１種類の端末を上記ネットワークを介して収容すると共に、従来型の複数の第２種類の端末とを収容し、いずれかの上記第１種類の端末といずれかの上記第２種類の端末との相互通信を可能とする交換装置において、
上記第１種類の端末からの呼制御情報を処理すると共に、上記第１種類の端末への呼制御情報を形成する呼制御手段と、
上記第１種類の端末との間で呼制御情報を上記ネットワークを介して授受する第１種類端末制御情報収容手段と、
上記第１種類の端末との間で通信情報本体を上記ネットワークを介して授受する、上記第１種類端末制御情報収容手段とは別体の、第１種類端末通信情報収容手段と
を有することを特徴とする交換装置。
【請求項２】
上記呼制御手段は、任意の上記第１種類の端末に係る呼毎に、上記第１種類の端末と上記第１種類端末通信情報収容手段との通信情報本体のパスルートを、上記第１種類端末制御情報収容手段から、上記第１種類の端末に通知することを特徴とする請求項１に記載の交換装置。
【請求項３】
上記第１種類端末通信情報収容手段は、通信中の上記第１種類の端末の情報を管理する機能部、上記呼制御手段からのパス設定指示に対してビジーか否かを判定する機能部、及び、ビシー時に上記呼制御手段ヘビジー情報を伝える機能部を有することを特徴とする請求項１又は２に記載の交換装置。
【請求項４】
上記第１種類端末通信情報収容手段は、上記呼制御手段からのパス設定指示に対し、通信情報の圧縮・伸長処理をし得るチャネル数をも考慮して、ビジーか否かを判定することを特徴とする請求項３に記載の交換装置。
【請求項５】
所定のネットワークを介して相互には直接通信可能な複数の第１種類の端末を上記ネットワークを介して収容すると共に、従来型の複数の第２種類の端末とを収容し、いずれかの上記第１種類の端末といずれかの上記第２種類の端末との相互通信を可能とする交換装置と、上記第１種類の端末と、上記第２種類の端末とを有する交換システムにおいて、
上記交換装置は、
上記第１種類の端末からの呼制御情報を処理すると共に、上記第１種類の端末への呼制御情報を形成する呼制御手段と、
上記第１種類の端末との間で呼制御情報を上記ネットワークを介して授受する第１種類端末制御情報収容手段と、
上記第１種類の端末との間で通信情報本体を上記ネットワークを介して授受する、上記第１種類端末制御情報収容手段とは別体の、第１種類端末通信情報収容手段とを有し、
上記第１種類の端末は、呼制御情報を上記第１種類端末制御情報収容手段と授受し、通信情報本体を上記第１種類端末通信情報収容手段と授受する
ことを特徴とする交換システム。
【発明の詳細な説明】
【技術分野】
【０００１】
本発明は交換システム及び交換装置に関し、例えば、複数のＶｏＩＰ（Ｖｏｉｃｅ  ｏｖｅｒ  Ｉｎｔｅｒｎｅｔ  Ｐｒｏｔｏｃｏｌ）端末を内線端末と扱うことができるＩＰ−ＰＢＸ（インターネットプロトコル対応のＰＢＸ）、及び、そのＩＰ−ＰＢＸを有するシステムに適用し得るものである。
【背景技術】
【０００２】
図２は、従来のＩＰ−ＰＢＸ２を中心とした交換システム１を示す概念図である。ＩＰ−ＰＢＸ２は、ＶｏＩＰ端末３を収容するためのＶｏＩＰラインカード２Ａと、アナログ電話やＩＳＤＮ電話などの従来型端末（以下、レガシー端末と呼ぶ）４を収容するレガシー端末収容ラインカード２Ｂとを有し、各種のラインカード２Ａ、２Ｂは、時分割バス（ＴＤバス；音声バス）２Ｃを介して接続し得るようになされている（図２では、制御に関係するＰＢＸ２の内部構成は省略している）。
【０００３】
ＶｏＩＰラインカード２Ａは、例えば、ＬＡＮ（や専用線やインターネット）５を介して、複数（最大Ｍ）台のＶｏＩＰ端末３を収容する。一般的なＰＢＸ（レガシーＰＢＸ）においては、内線端末は、有線による固定接続であり、音声パスは必ずＰＢＸ内を経由するため、収容端末数分のラインカードが交換機に収容されていた。ＩＰ−ＰＢＸ２においても、ＶｏＩＰ端末３は内線端末の扱いであり、制御チャネル情報とそのチャネルの音声パスルートはラインカード２Ａ及びＶｏＩＰ端末３間で括り付けてあった。なお、ＶｏＩＰ対応のラインカードについては、例えば、特許文献１に記載されている。
【特許文献１】特表２００３−５０８９７２号公報
【発明の開示】
【発明が解決しようとする課題】
【０００４】
しかしながら、ＶｏＩＰ端末３は、レガシー端末４とは異なり、ＶｏＩＰ端末３間同士の通信においては、ＬＡＮ５上で交換できるためＶｏＩＰラインカード２Ａを経由しない。ここで、ＶｏＩＰ端末３及びレガシー端末４間の通話に比較して、ＶｏＩＰ端末３同士の通話の方が多い場合、以下のような問題があった。
【０００５】
ＶｏＩＰラインカード２Ａは、全て（Ｘ台）のＶｏＩＰ端末３を同時収容し得る分（ｎ個；ｎ≧Ｘ／Ｍ）だけ必要なので、ある時点を捉えて見れば、使用していないＶｏＩＰラインカード２Ａが多くなっている。すなわち、冗長（無駄）なハードウェア回路が多いということができる。
【０００６】
この課題は、裏返せば、レガシー端末４との通話量に関係なく、ＶｏＩＰ端末３が増えるほどラインインタフェースにおける１ポート当たりの単価が高くなることを表している。特に、後述するような音声圧縮機能の搭載時にはかかる課題は顕著となる。
【０００７】
また、ＩＰ−ＰＢＸ２とＶｏＩＰ端末３間で通信する場合、帯域の限られた専用線（５）などを経由する場合があるため、音声圧縮機能を付加するケースが多くなる。音声圧縮機能はカードを複雑にしたり高価にしたりするが、ＶｏＩＰ端末３が通信時にどのＶｏＩＰラインカード２Ａに収容されるかが固定的に定まっているため、全てのＶｏＩＰラインカード２Ａに音声圧縮機能（２Ａａ）を搭載しなければならない。なお、音声圧縮機能２Ａａは、ＶｏＩＰ端末３の種類などに応じて、複数種類の圧縮方式に対応できる必要がある。
【０００８】
そのため、ラインインタフェースに直結されていない端末に対応できても、構成を簡易、安価にし得る交換装置や、その交換装置を含む交換システムが望まれている。
【課題を解決するための手段】
【０００９】
かかる課題を解決するため、第１の本発明は、所定のネットワークを介して相互には直接通信可能な複数の第１種類の端末を上記ネットワークを介して収容すると共に、従来型の複数の第２種類の端末とを収容し、いずれかの上記第１種類の端末といずれかの上記第２種類の端末との相互通信を可能とする交換装置において、上記第１種類の端末からの呼制御情報を処理すると共に、上記第１種類の端末への呼制御情報を形成する呼制御手段と、上記第１種類の端末との間で呼制御情報を上記ネットワークを介して授受する第１種類端末制御情報収容手段と、上記第１種類の端末との間で通信情報本体を上記ネットワークを介して授受する、上記第１種類端末制御情報収容手段とは別体の、第１種類端末通信情報収容手段とを有することを特徴とする。
【００１０】
また、第２の本発明は、所定のネットワークを介して相互には直接通信可能な複数の第１種類の端末を上記ネットワークを介して収容すると共に、従来型の複数の第２種類の端末とを収容し、いずれかの上記第１種類の端末といずれかの上記第２種類の端末との相互通信を可能とする交換装置と、上記第１種類の端末と、上記第２種類の端末とを有する交換システムにおいて、（１）上記交換装置は、上記第１種類の端末からの呼制御情報を処理すると共に、上記第１種類の端末への呼制御情報を形成する呼制御手段と、上記第１種類の端末との間で呼制御情報を上記ネットワークを介して授受する第１種類端末制御情報収容手段と、上記第１種類の端末との間で通信情報本体を上記ネットワークを介して授受する、上記第１種類端末制御情報収容手段とは別体の、第１種類端末通信情報収容手段とを有し、（２）上記第１種類の端末は、呼制御情報を上記第１種類端末制御情報収容手段と授受し、通信情報本体を上記第１種類端末通信情報収容手段と授受することを特徴とする。
【発明の効果】
【００１１】
本発明によれば、所定のネットワークを介して相互には直接通信可能な複数の第１種類の端末をネットワークを介して収容すると共に、従来型の複数の第２種類の端末とを収容し、いずれかの第１種類の端末といずれかの第２種類の端末との相互通信を可能とする交換装置が、第１種類の端末に対し、呼制御情報と通信情報本体とを切り離して、別個のパスで授受するようにしたので、交換装置の構成を簡易、安価にすることができる。
【発明を実施するための最良の形態】
【００１２】
以下、本発明による交換システム及び交換装置の一実施形態を図面を参照しながら詳述する。ここで、図１が、この実施形態の交換システムの全体構成を示すブロック図である。
【００１３】
この実施形態の交換システム１０は、ＩＰ−ＰＢＸ１１と、ＶｏＩＰ端末１２と、レガシー端末１３とを有する。ＩＰ−ＰＢＸ１１は、ＬＡＮ（や専用線やインターネット）１４を介して、複数のＶｏＩＰ端末１２を内線端末として収容可能なものである。ＩＰ−ＰＢＸ１１は、ＶｏＩＰ端末制御カード２０、ＶｏＩＰ音声トランク２１、圧縮機能回路２２、呼制御部２３及びレガシー端末収容ラインカード２４を備え、音声バスとしての時分割バス（ＴＤバス）２５は、ＶｏＩＰ音声トランク２１及びレガシー端末収容ラインカード２４に接続され、制御バス２６は、ＶｏＩＰ端末制御カード２０、ＶｏＩＰ音声トランク２１、呼制御部２３及びレガシー端末収容ラインカード２４に接続されている。圧縮機能回路２２は、ＶｏＩＰ音声トランク２１に直接接続されている。
【００１４】
なお、図１では、複数のＶｏＩＰ端末１２に対応できることを表すため、ＶｏＩＰ端末制御カード２０やＶｏＩＰ音声トランク２１がＶｏＩＰ端末１２毎のポートを有するように見えるが、ＶｏＩＰ端末制御カード２０は、ＬＡＮ１４との１（又は複数）個の接続ポートだけを有し、また、ＶｏＩＰ音声トランク２１も、ＬＡＮ１４との１（又は複数）個の接続ポートだけを有している。
【００１５】
この実施形態の場合、各ＶｏＩＰ端末１２の制御信号の授受構成は、ＬＡＮ１４を介して、ＶｏＩＰ端末制御カード２０に接続され、各ＶｏＩＰ端末１２の音声信号の授受構成は、ＬＡＮ１４を介して、ＶｏＩＰ音声トランク２１に接続されている。
【００１６】
図３（Ａ）は、従来のＶｏＩＰラインカード２Ａの内部の機能的構成を示し、図３（Ｂ）は、ＶｏＩＰ端末制御カード２０の内部の機能的構成を示し、図３（Ｃ）は、ＶｏＩＰ音声トランク２１の機能的構成を示している。
【００１７】
ＶｏＩＰ端末制御カード２０は、ＶｏＩＰ端末数Ｘ以下のＹチャネル分のＶｏＩＰ端末１２に関する制御を行うものである。一方、ＶｏＩＰ音声トランク２１は、Ｍチャネル（Ｍ≦Ｙ）分の音声パスのインタワーク処理（音声信号のプロトコル間の相違を吸収するための乗せ換え処理）のみを行う。
【００１８】
従来のＶｏＩＰラインカード２Ａは、制御系及び音声処理系の共通要素としてＬＡＮ５とのインタフェースを行うＬＡＮインタフェース部３０を有し、制御系として、制御バス（図２では省略）とのインタフェースを行う制御バスインタフェース部３１や、制御パケット処理やラインカード内制御や端末制御を行う制御ＣＰＵ部３２を有し、音声処理系として、ＴＤバス２Ｃとのインタフェースを行うＴＤバスインタフェース部３３や、圧縮処理に無関係な音声信号に対する通信方向に沿ったプロトコル変換などを行う音声処理部３４や、圧縮処理に関係する音声信号を音声圧縮機能部２Ａａに与えて圧縮又は伸長などを実行させる圧縮回路インタフェース部３５や、音声処理部３４及び圧縮回路インタフェース部３５間の選択を行うセレクタ部３６及び３７を有している。
【００１９】
ＶｏＩＰ端末制御カード２０は、図３（Ｂ）に示すように、図３（Ａ）に示す構成要素のうち、ＬＡＮインタフェース部３０−１、制御バスインタフェース部３１及び制御ＣＰＵ部３２をＬチャネル分有し、ＶｏＩＰ音声トランク２１は、図３（Ｃ）に示すように、図３（Ａ）に示す構成要素のうち、ＬＡＮインタフェース部３０−２、ＴＤバスインタフェース部３３、音声処理部３４、圧縮回路インタフェース部３５、セレクタ部３６及び３７をＭチャネル分有している。
【００２０】
なお、ＴＤバスインタフェース部３３には、制御バス２６も接続されている。また、圧縮回路インタフェース部３５は、Ｍチャネル分より少ないｍチャネル分を有しているようにしても良い（後述するように、圧縮機能回路２２がｍチャネル分対応であるため）。
【００２１】
圧縮機能回路２２は、通信に供しているＶｏＩＰ端末１２が圧縮符号化方式に従っている場合において、ＶｏＩＰ音声トランク２１（の圧縮回路インタフェース部３５）から与えられたＶｏＩＰ端末１２への音声信号を圧縮してＶｏＩＰ音声トランク２１に返送し、ＶｏＩＰ音声トランク２１（の圧縮回路インタフェース部３５）から与えられたＶｏＩＰ端末１２からの圧縮音声信号を伸長してＶｏＩＰ音声トランク２１に返送するものである。ここで、各ＶｏＩＰ端末１２によって、適用している圧縮符号化方式が異なる可能性があるので、圧縮機能回路２２は、複数種類の圧縮符号化方式に対応できるようになされている。
【００２２】
呼制御部２３は、ＩＰ−ＰＢＸ１１に収容されている全てのラインカード２０、２４及びトランク２５の呼制御を行い、呼制御に必要な情報をラインカード２０、２４及びトランク２５に制御バス２６を介して送信するものである。
【００２３】
ＶｏＩＰ音声トランク２１は、上述したように、従来のＶｏＩＰラインカード２Ａの音声パスのインタワーク部分の処理を行うものであるが、従来のＶｏＩＰラインカード２Ａに比較し、上位（呼制御部２３）からのパス設定指示情報により通信するＶｏＩＰ端末１２と通話パスを設定する機能と、リソースビジー時（全てのチャネルを使用しているとき）にビジー情報を上位に返答する機能を追加しており、ＴＤバスインタフェース部３３がこれら追加機能を担っている。
【００２４】
この実施形態のＶｏＩＰ端末１２は、ＶｏＩＰ端末制御カード２０との間で、従来と同様な制御情報の授受を行うものであり、これに加えて、ＶｏＩＰ端末制御カード２０経由で、呼制御部２３から、どのＶｏＩＰ音声トランク２１と音声パスを張るかの情報を入手し、指定されたＶｏＩＰ音声トランク２１と音声パケットの送受を行うものである。ＶｏＩＰ端末１２は、呼制御部２３から入手した、どのＶｏＩＰ音声トランク２１と音声パスを張るかの情報を内部記憶し、音声パケットの送信時には、その音声パケットに、その情報を付与して、ＬＡＮ１４に送出するものである。なお、ＶｏＩＰ端末１２は、ＶｏＩＰ端末制御カード２０との間の制御パスを張るための情報は固定的に持っている。また、音声パスを張るための情報は、呼毎に与えられるが、ＩＰ−ＰＢＸ１１側から所定期間毎に与えられるものであっても良い。
【００２５】
この実施形態のレガシー端末１３やレガシー端末収容ラインカード２４は、従来のものと同様なものである。
【００２６】
次に、あるＶｏＩＰ端末（以下、符号１２Ｐを付す）とレガシー端末１３とが通信を行うための呼制御の動作を説明する。以下の説明では、あるＶｏＩＰ端末１２Ｐが発呼側とする。
【００２７】
あるＶｏＩＰ端末１２Ｐからのレガシー端末１３への発呼情報は、ＬＡＮ１４経由で、所定のＶｏＩＰ端末制御カード２０に入力され、ＶｏＩＰ端末制御カード２０においては、制御バス２６経由で、呼制御部２３に与えられる。
【００２８】
呼制御部２３は、レガシー端末１３が話中でないことを確認した後、又は、レガシー端末１３が話中であるか否かの確認の前に、又は、それと並行して、例えば、内蔵する各ＶｏＩＰ音声トランク２１についての稼動状況情報（例えば、その時点でそのＶｏＩＰ音声トランク２１が通信に供しているチャネル数）に基づいて、今回の発呼に係る音声パスを設定させるＶｏＩＰ音声トランク２１を決定し、決定したＶｏＩＰ音声トランク２１に対し、制御バス２６を介して、使用するＴＤバス２５でのタイムスロットの情報や圧縮方式（非圧縮のこともあり得る）の情報を含むパス設定指示を与える。なお、ＶｏＩＰ端末１２Ｐに係る圧縮方式の情報は、その都度、ＶｏＩＰ端末１２Ｐから取り込むようにしても良く、呼制御部２３内に、ＶｏＩＰ端末１２Ｐと圧縮方式との対応を記述したテーブルを備え、そのテーブルの情報を参照して、パス設定指示に含めるようにしても良い。また、レガシー端末１３が話中である場合には、その旨（ビジー）などを、適宜のタイミングで、ＶｏＩＰ端末１２Ｐに返信する。
【００２９】
このようなパス設定指示は、ＶｏＩＰ音声トランク２１内においては、ＴＤバスインタフェース部３３に与えられる。図４は、ＴＤバスインタフェース部３３、特に、そのリソース管理機能部の処理を示すフローチャートである。なお、ＶｏＩＰ音声トランク２１内に、制御バス２６に接続した、ＴＤバスインタフェース部３３から独立した専用のリソース管理機能部を設けて、図４に示す処理を実行させるようにしても良い。
【００３０】
ＴＤバスインタフェース部３３などのリソース管理機能部は、制御バス２６からの制御情報の待ち受け状態（初期状態）において、ＶｏＩＰ端末１２Ｐとのパス設定指示を受信すると（Ｓ１００）、パス設定指示に基づいてＶｏＩＰ端末１２Ｐが圧縮符号化方式を採用しているものか否かを判別する（Ｓ１０１）。
【００３１】
圧縮符号化方式を採用していなければ、当該ＶｏＩＰ音声トランク２１において、非圧縮用のチャネルが空いているか否かを判別する（Ｓ１０２）。例えば、当該ＶｏＩＰ音声トランク２１がＭチャネル分に対応できるものであり、当該ＶｏＩＰ音声トランク２１に接続されている圧縮機能回路２２がｍチャネル分で対応できるものであると、（Ｍ−ｍ）個のチャネルが非圧縮用のチャネルとなっている。
【００３２】
非圧縮用のチャネルが空いていない場合には、当該ＶｏＩＰ音声トランク２１のリソース管理機能部は、制御バス２６を介して、呼制御部２３に、チャネルビジーの情報を通知し（Ｓ１０３）、初期状態に戻る。このとき、呼制御部２３は、他のＶｏＩＰ音声トランク２１に対し、パス設定指示を再発行しても良く、また、所定のＶｏＩＰ端末制御カード２０によって、発呼側のＶｏＩＰ端末１２Ｐにビジーを通知するようにしても良い。
【００３３】
ＶｏＩＰ端末１２Ｐが圧縮符号化方式を採用している場合には、当該ＶｏＩＰ音声トランク２１において、圧縮用のチャネルが空いているか否かを判別する（Ｓ１０４）。すなわち、圧縮機能回路２２が新たなチャネルに対応できる状態になっているか否かを判別する。
【００３４】
ここで、圧縮用のチャネルが空いていない場合には、上述した非圧縮用のチャネルが空いているか否かの判別処理（Ｓ１０２）に移行する。すなわち、圧縮用のチャネルが空いていない場合に、直ちに、ビジーを発呼側のＶｏＩＰ端末１２Ｐに通知するのではなく、非圧縮での通信が可能か否かを確認するようにしている。
【００３５】
圧縮用のチャネルが空いている場合（ステップＳ１０４で肯定結果）や、非圧縮用のチャネルが空いている場合（ステップＳ１０２で肯定結果）には、当該ＶｏＩＰ音声トランク２１のリソース管理機能部内の管理テーブルに、空きチャネル（圧縮の有無も分かる；登録により、以後、使用チャネルとなる）とＶｏＩＰ端末１２Ｐとのパス情報を登録し、その後、チャネルを有効にして音声通信を開始する（Ｓ１０５、Ｓ１０６）。管理テーブルへの登録処理には、登録した旨を、呼制御部２３に通知する処理も含み、この際に、呼制御部２３は、ＶｏＩＰ端末制御カード２０経由で、どのＶｏＩＰ音声トランク２１と音声パスを張るかの情報を、ＶｏＩＰ端末１２Ｐに与える。これにより、ＶｏＩＰ音声トランク２１及びＶｏＩＰ端末１２Ｐは、音声パケットの送受制御を行う（Ｓ１０７）。ＶｏＩＰ音声トランク２１は、ＶｏＩＰ端末１２Ｐに向けて音声パケットを送出する際には、ＬＡＮ１４を経由しても、音声パケットがＶｏＩＰ端末１２Ｐに到達するような情報を、上述した管理テーブルに設定されたパスの情報に基づき、音声パケットに付与する。
【００３６】
当該ＶｏＩＰ音声トランク２１のリソース管理機能部は、このような使用状態となったチャネルについて、上位（呼制御部２３）より、通信終了が指示されることを待ち受けており（Ｓ１０８）、通信終了が指示されると、チャネルを無効とし、管理テーブルの該当チャネルも空きにし（Ｓ１０９）、初期状態に戻る。
【００３７】
なお、圧縮機能回路２２のチャネル数ｍと、ＶｏＩＰ音声トランク２１のチャネル数Ｍとが等しい場合には、ＶｏＩＰ音声トランク２１における空きチャネルだけを確認すれば、圧縮機能回路２２のチャネルの確認も行っていることになる。
【００３８】
また、レガシー端末１３がＶｏＩＰ端末１２Ｐへの発呼側となった場合におけるＶｏＩＰ音声トランク２１のリソース管理処理も、上記と同様であり、その説明は省略する。
【００３９】
上記実施形態の交換システムによれば、以下のような効果を奏することができる。
【００４０】
ＩＰ−ＰＢＸ１１は、内線となり得るＶｏＩＰ端末１２の数ではなく、自己に収容されているレガシー端末１３とＶｏＩＰ端末１２との同時に発生すると考えられる通話パス数に応じた分のＶｏＩＰ音声トランク２１を用意すれば、レガシー端末１３とＶｏＩＰ端末１２間の通話を実現することができる。
【００４１】
また、１個のＶｏＩＰ音声トランク２１が対応できるチャネル数（Ｍ）以下のチャネル数（ｍ）の圧縮機能回路２２を、そのＶｏＩＰ音声トランク２１に接続することにより、圧縮符号化方式に対応するＶｏＩＰ端末１２とレガシー端末１３との音声通信を実現することができる。
【００４２】
さらに、ＶｏＩＰ端末との間で、通話パスと制御パスを分離したので、ＶｏＩＰ端末制御カード２０のハードウェアを小規模にできたり、制御の処理能力が余剰になるため１枚のカードで多くのチャネル数を制御できたりする。
【００４３】
図５は、かかる効果のイメージ的な説明図である。従来のＶｏＩＰラインカードであれば、その収容チャネル数（ｎ）分の音声パケットの処理部と、ｎチャネルに共通な制御パケットの処理部とを有していたが、同様な規模のＶｏＩＰ端末制御カード２０であれば、その数倍（例えば、５倍）のチャネルの制御処理を行うことができる。なお、呼制御の必要時間は、音声通信に供する時間のごく一部であり、複数チャネルでカードを共用することができる。
【００４４】
以上の効果の融合により、交換システムやＩＰ−ＰＢＸのハードウェア量を削減することができ、コストの削減やＩＰ−ＰＢＸでの消費電力の削減を期待できるという効果をも奏する。
【００４５】
（Ｂ）他の実施形態
上記実施形態では、交換装置がＩＰ−ＰＢＸである場合を示したが、局用交換装置にも、本発明の技術思想を適用することができる。
【００４６】
また、交換装置を介することなく、相互にはＬＡＮ（や専用線やインターネットなど）を介して直接通信し得る端末が、ＶｏＩＰ端末であるものを示したが、他の装置であっても良い。例えば、フレームリレー転送し得るような端末であっても良い。また、これら端末やそれに対応する装置が、相互に通信に供するネットワークの種類は任意であり、上述したような専用線もネットワークの概念に含まれる。
【００４７】
なお、上記実施形態での音声通信には、モデム信号やデータ信号の音声帯域を利用した通信などを含む概念であり、また、本発明は、音声通信に限定されず、画像通信やデータ通信などにも適用することができる。例えば、銀行におけるＡＴＭ端末を、実施形態のＶｏＩＰ端末と同様に扱う交換システムであっても良い。
【図面の簡単な説明】
【００４８】
【図１】実施形態の交換システムの全体構成を示すブロック図である。
【図２】従来の交換システムの全体構成を示すブロック図である。
【図３】実施形態のＶｏＩＰ端末制御カード及びＶｏＩＰ音声トランクの内部構成を示すブロック図である。
【図４】実施形態のＶｏＩＰ音声トランクの音声パス設定指示時の動作を示すフローチャートである。
【図５】実施形態の交換システムの効果の説明図である。
【符号の説明】
【００４９】
１０…交換システム、１１…ＩＰ−ＰＢＸ、１２…ＶｏＩＰ端末、１３…レガシー端末、１４…ＬＡＮ（や専用線やインターネット）、２０…ＶｏＩＰ端末制御カード、２１…ＶｏＩＰ音声トランク、２２…圧縮機能回路、２３…呼制御部、２４…レガシー端末収容ラインカード、２５…時分割バス（ＴＤバス）、２６…制御バス。
【図１】
2005184253.tif 000003
【図２】
2005184253.tif 000004
【図３】
2005184253.tif 000005
【図４】
2005184253.tif 000006
【図５】
2005184253.tif 000007